(57)【要約】【課題】設置と撤去が容易で、しかも導水管の通水時の脈動を防止することができる後付けポンプユニットを提供する。【解決手段】浸透排水性を有する地表面１３上に設置される筒状枠２と、この筒状枠２をその厚み方向に貫通して設けられ、その一部が平ホースからなる導水管３と、この導水管３の取水口３ａに設けられるポンプ６と、筒状枠２の上部開口２ｅに覆設される蓋８と、を備え、筒状枠２は、導水管３に通水した際に導水管３を横切って配される平ホース４を直線状に保持する切欠き２ｂを備え、平ホース４は、不使用時に筒状枠２の中空部２ａ内に収容されることを特徴とする後付けポンプユニット１による。【選択図】図１
2020112099.tif 000002
【特許請求の範囲】
【請求項１】
浸透排水性を有する地表面上に設置される筒状枠と、
前記筒状枠をその厚み方向に貫通して設けられ、その一部が平ホースからなる導水管と、
前記導水管の取水口に設けられるポンプと、
前記筒状枠の上部開口に覆設される蓋と、を備え、
前記筒状枠は、前記導水管に通水した際に前記筒状枠を横切って配される前記平ホースを直線状に保持する切欠きを備え、
前記平ホースは、不使用時に前記筒状枠の中空部内に収容されることを特徴とする後付けポンプユニット。
【請求項２】
前記ポンプは電動ポンプであり、
前記ポンプに接続されるとともに、前記筒状枠をその厚み方向に貫通して設けられる電源コードを備え、
不使用時に前記筒状枠の中空部内に前記平ホースに加えて、前記電源コードの一部が収容されることを特徴とする請求項１に記載の後付けポンプユニット。
【請求項３】
前記筒状枠の底に敷設されるバラス状の粒状物を備えていることを特徴とする請求項１又は請求項２に記載の後付けポンプユニット。
【請求項４】
前記導水管の屈曲部は、形状保持性を有する硬質管を備えていることを特徴とする請求項１乃至請求項３のいずれか１項に記載の後付けポンプユニット。
【請求項５】
前記切欠きに着脱可能に取設され、前記切欠きを塞ぐカバーを備えていることを特徴とする請求項１乃至請求項４のいずれか１項に記載の後付けポンプユニット。
【請求項６】
前記蓋の上面は、その視認を促す着色部を備えていることを特徴とする請求項１乃至請求項５のいずれか１項に記載の後付けポンプユニット。
【請求項７】
前記ポンプと前記筒状枠との間に配設されている前記導水管、又は、前記ポンプと前記筒状枠との間に配設されている前記導水管及び前記電源コードは、取水用又は排水用の開口部に付設される洞道内に設けられている足場に直接又は間接的に固定されていることを特徴とする請求項１乃至請求項６のいずれか１項に記載の後付けポンプユニット。
【発明の詳細な説明】
【技術分野】
【０００１】
本発明は、取水用又は排水用の開口部の近傍への後付けが容易で、スムーズに給排水できる後付けポンプユニットに関する。
【背景技術】
【０００２】
一般に、取水用又は排水用の開口部の近傍では、必要に応じていつでも給排水できるように予めポンプユニットを設けておくことが行われている。
例えば、特許文献１には「防火水槽」という名称で、道路や公園等の地中に埋設する消火用の防火水槽に関する発明が開示されている。
特許文献１に開示される防火水槽は、地中に埋設する貯水槽と、該貯水槽に付設する蓋付きのボックスとからなり、該ボックスには、この貯水槽を水源とするエンジン付きの放水ポンプと、該放水ポンプに接続するホースとを収納することを特徴とするものである。
上記構成の特許文献１に開示される発明によれば、例えば災害時に、貯水槽内の水源を有効に活用できるという効果を有する。
【０００３】
また、特許文献２には「消火栓器具箱」という名称で、消防ホースを繰出し自在に収納した状態で消火栓の近傍に配設される消火栓器具箱に関する発明が開示されている。
特許文献２に開示される消火栓器具箱は、車輪と取っ手とを備えた箱状体が開口部を備えており、該開口部には蓋を開閉自在に取り付けると共に予め連結した消防ホースを開蓋後の開口部より繰出し自在になるように箱状体内に収納することができ、該箱状体を消火栓の近傍に配置したことを特徴とするものである。
上記構成の特許文献２に開示される発明によれば、消防ホースを火災現場における放水位置まで迅速且つ容易に繰出すことができるという効果を有する。
【先行技術文献】
【特許文献】
【０００４】
【特許文献１】特開平８−３２６１０６号公報
【特許文献２】特開平１１−１９２３１９号公報
【発明の概要】
【発明が解決しようとする課題】
【０００５】
上述のような特許文献１に開示される発明では、ポンプ設備が防火水槽の近傍の地中に埋設されるボックス内に収容されるため、防火水槽の施工と併せてボックスを設置することが望ましい。
あるいは、防火水槽が既設のポンプ設備を備えておらず、特許文献１を参酌してポンプ設備を後付けする場合は、取水部周辺の地面を掘り起こす作業を行う必要があった。この場合、防火水槽の取水部の周囲がアスファルト等により舗装されている場合は、ボックスの後付け作業が特に煩雑になり、工事が大掛かりなものになるという課題があった。
【０００６】
特許文献２に開示される発明は、消火ホース収納室内に収容される消火ホース（平ホース）を全て容器の外に出して使用することを前提にして構成されている。
このため、特許文献２に開示される発明において、消火ホース（平ホース）の一部を消火ホース収納室内に収容したまま使用する場合は、消火ホース収納室の出入り口に消火ホースが接触して屈曲してしまう可能性がある。
この場合、消火ホースが屈曲している部分における水の流動性が低下して、通水時に脈動が起こり、スムーズに水を供給できない懸念があった。
【０００７】
本発明はかかる従来の事情に対処してなされたものでありその目的は、既存の給水用又は排水用の開口部に容易に後付けすることができ、かつ不使用時に平ホースの一部をその収容器内に収納しておくことができ、しかも、通水時に脈動が起こり難い後付けポンプユニットを提供することにある。
【課題を解決するための手段】
【０００８】
上記課題を解決するための第１の発明である後付けポンプユニットは、浸透排水性を有する地表面上に設置される筒状枠と、この筒状枠をその厚み方向に貫通して設けられ、その一部が平ホースからなる導水管と、この導水管の取水口に設けられるポンプと、筒状枠の上部開口に覆設される蓋と、を備え、筒状枠は、導水管に通水した際に筒状枠を横切って配される平ホースを直線状に保持する切欠きを備え、平ホースは、不使用時に筒状枠の中空部内に収容されることを特徴とするものである。
上記構成の第１の発明において、筒状枠は不使用時にその中空部内に平ホースを収容する収納容器として作用する。また、導水管は、取水場所からポンプによって汲み上げられた水を排水口側に導く通水路として作用する。さらに、この導水管の一部を平ホースにより構成することで、導水管の一部を平たい帯状に変形させた後に、巻取り又は折畳み可能にするという作用を有する。これにより、導水管において平ホースにより構成される部分をコンパクトに収納可能にするという作用を有する。また、ポンプは、取水場所の水を汲み上げて導水管に送給するという作用を有する。さらに、蓋は筒状枠の上部開口に着脱可能に覆設されて、筒状枠の中空部内への雨水の浸入を妨げるという作用を有する。
さらに、筒状枠に形成される切欠きは、導水管の通水時に、筒状枠を横切る平ホースを収容保持して、通水中の平ホースの外形を直線状に保つという作用を有する。なお、通水中の平ホースは、略直線状に保持されていれば良く、水平に対して傾斜していても良い。
【０００９】
第２の発明である後付けポンプユニットは、上述の第１の発明において、ポンプは電動ポンプであり、このポンプに接続されるとともに、筒状枠をその厚み方向に貫通して設けられる電源コードを備え、不使用時に筒状枠の中空部内に平ホースに加えて、電源コードの一部が収容されることを特徴とするものである。
上記構成の第２の発明は、上述の第１の発明による作用と同じ作用に加えて、ポンプが電動ポンプであることで、電力でポンプを駆動するという作用を有する。また、電源コードはポンプに電力を供給するという作用を有する。
さらに、筒状枠は、不使用時の電源コードの一部の収納容器としても作用する。
【００１０】
第３の発明である後付けポンプユニットは、上述の第１又は第２の発明において、筒状枠の底に敷設されるバラス状の粒状物を備えていることを特徴とするものである。
上記構成の第３の発明は、上述の第１又は第２の発明による作用と同じ作用に加えて、筒状枠の底に敷設されるバラス状の粒状物は、筒状枠の中空部内に万一雨水が侵入した際に、粒状物同士の隙間に雨水を速やかに取り込んで、筒状枠の中空部内に収容されている平ホースや電源コードが水没するのを回避させるという作用を有する。
【００１１】
第４の発明である後付けポンプユニットは、上述の第１乃至第３のいずれかの発明において、導水管の屈曲部は、形状保持性を有する硬質管を備えていることを特徴とするものである。
上記構成の第４の発明は、上述の第１乃至第３のそれぞれの発明による作用と同じ作用に加えて、導水管の使用時（通水時）に、導水管の屈曲部が変形（圧潰して）することで流路が狭まるのを抑制するという作用を有する。
【００１２】
第５の発明である後付けポンプユニットは、上述の第１乃至第４のいずれかの発明において、切欠きに着脱可能に取設され、この切欠きを塞ぐカバーを備えていることを特徴とするものである。
上記構成の第５の発明は、上述の第１乃至第４のそれぞれの発明による作用と同じ作用に加えて、カバーは、切欠きから筒状枠の中空部内に雨水が浸入するのを妨げるという作用を有する。
【００１３】
第６の発明である後付けポンプユニットは、上述の第１乃至第５のいずれかの発明において、蓋の上面は、その視認を促す着色部を備えていることを特徴とするものである。
上記構成の第６の発明は、上述の第１乃至第５のそれぞれの発明による作用と同じ作用に加えて、取水用又は排水用の開口部近傍に第６の発明を後付けした際に、後付けされた第６の発明の視認性を向上させるという作用を有する。
【００１４】
第７の発明である後付けポンプユニットは、上述の第１乃至第６のいずれかの発明において、ポンプと筒状枠との間に配設されている導水管、又は、ポンプと筒状枠との間に配設されている導水管及び電源コードは、取水用又は排水用の開口部に付設される洞道内に設けられている足場に直接又は間接的に固定されていることを特徴とするものである。
上記構成の第７の発明は、上述の第１乃至第６のそれぞれの発明による作用と同じ作用に加えて、洞道内に設けられている足場に、ポンプと筒状枠との間に配設される導水管、又は、ポンプと筒状枠との間に配設されている導水管及び電源コードを、直接又は間接的に固定することで、これらを固定するための固定具を洞道の内壁に設ける作業を省略できる。
また、第７の発明によれば、ポンプや、ポンプと筒状枠との間に配設されている導水管に何らかの不具合が生じた場合に、洞道内に設けられている足場を伝って移動しながら不具合箇所の点検や修理を行うことができる。
よって、第７の発明によれば、設置後のメンテナンス作業を容易かつスムーズにするという作用を有する。
【発明の効果】
【００１５】
上述のような第１の発明によれば、不使用時に、導水管の排出口側の部分を構成する平ホースを、巻回又は折畳んだ状態で筒状枠の中空部内に保管しておくことができる。
加えて、第１の発明では、排出口側に配される平ホースを使用する際に、筒状枠と交差する位置の平ホースを、切欠き内に収容することができる。これにより、平ホースの使用時に、平ホースが筒状枠に接触して屈曲し、そのせいで平ホース内の水の流動性が低下して、この部分を通過する際に水が脈動するのを防止することができる。
さらに、第１の発明における筒状枠は、地表面上に単に載置されているだけであるため、その設置と撤去が極めて容易である。
したがって、第２の発明によれば、設置と撤去が容易であり、かつ、導水管への通水時に脈動が起こらない後付けポンプユニットを提供することができる。
【００１６】
第２の発明は、上述の第１の発明におけるポンプを電動ポンプに特定するとともに、この電動ポンプに電力を供給するための電源コードを備えた状態を物の発明として特定したものである。
このような第２の発明は、上述の第１の発明による効果と同じ効果に加えて、ポンプを電力により駆動することができる。さらに、第２の発明では、ポンプに電力を供給する電源コードの一部を、不使用時に筒状枠の中空部内に収容しておくことができるという効果も有する。
【００１７】
第３の発明は、上述の第１又は第２の発明による効果と同じ効果に加えて、筒状枠の底にバラス状の粒状物を敷設することで、万一筒状枠の中空部内に雨水が浸入した際に、筒状枠の中空部内に収納保管中の平ホースや電源コードが水没するリスクを低減することができる。
よって、第３の発明によれば、筒状枠の中空部内に長期間平ホースや電源コードを収納保管し続ける場合でも、これらが雨水に触れて劣化するのを遅らせることができる。
【００１８】
第４の発明は、上述の第１乃至第３のそれぞれの発明による効果と同じ効果に加えて、導水管が、筒状枠とポンプの間に屈曲部を有する場合に、導水管への通水時に、導水管の屈曲部において流路が狭まるのを防止することができる。
したがって第４の発明によれば、導水管の屈曲部を水が通過する際に、脈動が起こるのを防止することができる。
【００１９】
第５の発明は、上述の第１乃至第４のそれぞれの発明による効果と同じ効果に加えて、筒状枠の切欠きに着脱可能に取設できるカバーを備えていることで、この切欠きから筒状枠の中空部内に雨水が浸入するのを好適に防止することができる。
よって、第５の発明によれば、筒状枠の中空部内に長期間平ホースや電源コードを収納保管し続ける場合に、これらが雨水に触れて劣化するのを遅延させることができる。
【００２０】
第６の発明によれば、上述の第１乃至第５のそれぞれの発明による効果と同じ効果を有する。また、本発明に係る後付けポンプユニットは、既存の取水用又は排水用の開口部近傍に後付けされることを想定して発明されている。このため、本発明に係る後付けポンプユニットが、既存の取水用又は排水用の開口部近傍の景観に馴染むような色彩だと、ポンプユニットが設置されたことに気づかずに誤って後付けポンプユニットに接触又は衝突してしまい、筒状枠等の設備を損傷してしまう恐れがある。
よって、第６の発明では、蓋の上面にその視認を促す着色部を備えていることで、第６の発明の近くを通行する人に、その存在が視認され易くなる。
この場合、第６の発明に意図せず人や物が接触又は衝突するリスクを低減することができる。この結果、第６の発明を設置した後に、事故等により第６の発明が損傷するリスクを低減することができる。
【００２１】
第７の発明によれば、上述の第１乃至第６のそれぞれの発明による効果と同じ効果を有する。また、上述の第１乃至第６のそれぞれの発明と比較して、第７の発明を取水用又は排水用の開口部に設置する作業を簡素化できるという効果を有する。さらに、第７の発明によれば、設置後にポンプと筒状枠との間に配される導水管及び／又は電源コード、並びに、ポンプのメンテナンスを洞道内に設置されている足場を移動しながら容易に行うことができる。
よって、第７の発明によれば、設置後の修理やメンテナンスが容易な後付けポンプユニットを提供できるという効果を有する。
【図面の簡単な説明】
【００２２】
【図１】本発明の実施形態に係る後付けポンプユニットの鉛直方向断面イメージ図である。
【図２】本発明の実施形態に係る後付けポンプユニットの蓋を取り外した状態の平面図である。
【図３】本発明の実施形態に係る後付けポンプユニットの使用状態を示す平面図である。
【図４】本発明の実施形態に係る後付けポンプユニットの使用状態を示す斜視図である。
【発明を実施するための形態】
【００２３】
本発明の実施の形態に係る後付けポンプユニットについて図１乃至図４を参照しながら詳細に説明する。
【００２４】
はじめに、図１，２を参照しながら本実施形態に係る後付けポンプユニットの構成について説明する。
図１は本発明の実施形態に係る後付けポンプユニットの鉛直方向断面イメージ図である。また、図２は本発明の実施形態に係る後付けポンプユニットの蓋を取り外した状態の平面図である。
本実施形態に係る後付けポンプユニット１は、例えば図１，２に示すように、既存のポンプ設備を備えていない取水用又は排水用の開口（洞道１１）の近傍に後付けされるポンプユニットである。
このような本実施形態に係る後付けポンプユニット１は、図１に示すように、浸透排水性を有する地表面１３上に設置される筒状枠２と、この筒状枠２をその厚み方向に貫通して設けられ、その一部が平ホース４からなる導水管３と、この導水管３の取水口３ａに設けられるポンプ６と、筒状枠２の上部開口２ｅに覆設される蓋８と、を備えてなるものである。
さらに、図２に示すように、本実施形態に係る後付けポンプユニット１の筒状枠２は、その上部開口２ｅの一部を切り取ってなる切欠き２ｂを備えている。さらに、この切欠き２ｂは、導水管３を構成する平ホース４を収容できる程度の幅Ｗを有している。
そして、このような本実施形態に係る後付けポンプユニット１では、図１，２に示すように、不使用時に扁平状に押し潰した平ホース４を、折り重ねた状態で筒状枠２の中空部２ａ内に収容しておくことができる。なお、図１，２では平ホース４を、折り重ねて収容する場合を例に挙げて説明しているが、扁平状にした平ホース４を折り重ねることに代えて、渦状に巻いて筒状枠２内に収容してもよい。
なお、筒状枠２内に収容される導水管３を平ホース４に特定することで、例えば筒状枠２内に収容される導水管３として保形ホースを用いる場合よりも、折畳んだ又は渦状に巻いた平ホース４の外形サイズを小さくすることができる。この結果、筒状枠２の外形サイズをコンパクトにできるというメリットを有している。
【００２５】
また、本実施形態に係る後付けポンプユニット１では、筒状枠２の切欠き２ｂは、着脱可能に取設されるカバー１０を備えていてもよい（任意選択構成要素）。
このように切欠き２ｂがカバー１０を備える場合は、筒状枠２内に平ホース４を収納保管する場合に、切欠き２ｂから筒状枠２内に雨水が浸入するのを防止できる。したがって、筒状枠２内に収容される平ホース４等の備品が雨水に触れることで劣化するのを遅延させることができる。
なお、本実施形態に係る筒状枠２では、筒状枠２の厚み部分に平板状のカバー１０を嵌設する場合を例に挙げて説明しているが、筒状枠２の外側面上にカバー１０を保持するための保持具を別途設けるなどして、例えば薄板状のカバー１０を筒状枠２の外側面上に着脱可能に取設してもよい。なお、カバー１０及びその取設形態は、図示されるものや、上述の形態に特定される必要はなく、切欠き２ｂを所望に開閉できるよう構成されるものであれば、上述の形態以外のものでもよい。例えば、カバー１０は、筒状枠２の外側面上に、ヒンジ等を介して開閉可能に取設されるドア状の形態であってもよい。
【００２６】
ここで、本実施形態に係る後付けポンプユニット１に収容される平ホース４の使用方法について図３，４を参照しながら説明する。
図３は本発明の実施形態に係る後付けポンプユニットの使用状態を示す平面図である。また、図４は同じく後付けポンプユニットの使用状態を示す斜視図である。なお、図１，２に記載されたものと同一部分については同一符号を付し、その構成についての説明は省略する。
本実施形態に係る筒状枠２内に収容される平ホース４を使用するには、まず、筒状枠２の切欠き２ｂに取設されているカバー１０を取り外して、切欠き２ｂが開放された状態にする。
この後、筒状枠２内に折り畳まれている平ホース４を取り出して、直線状に展開する。なお、平ホース４の上流側開口（平ホース４において排出口３ｂの反対側に位置する端部）は、筒状枠２の厚み方向を貫通して設けられる硬質管５に固定されている。このため、平ホース４は、筒状枠２の厚み方向を貫通して設けられる硬質管５に連結固定され、そこから平ホース４を直線状に展開すると、平ホース４は筒状枠２の上部開口２ｅを跨いで横切るように配設されることになる。
【００２７】
そして、例えば筒状枠２が切欠き２ｂを備えていない場合は、平ホース４と上部開口２ｅとの接触部分で平ホース４が屈曲して、この部分の流路がその上流側又は下流側の流路と比較して狭くなる。
さらに、この状態でポンプ６を駆動して導水管３（平ホース４を含む）に通水すると、平ホース４が屈曲する部分を水が流動する際に脈動が生じて、スムーズに水を導出させることができないという不具合が生じていた。
このような事情に鑑み、本実施形態に係る後付けポンプユニット１では、筒状枠２内に収容される平ホース４を直線状に展開した際に、筒状枠２と平ホース４とが交差する部分に切欠き２ｂを設けておき、この切欠き２ｂ内に平ホース４を収容することができるよう構成している。
このように筒状枠２に切欠き２ｂを設けておくことで、筒状枠２の上部開口２ｅを横切るように平ホース４を配設する際に、筒状枠２の上部開口２ｅと平ホース４とが接触して平ホース４が屈曲するのを防止することができる。
この結果、導水管３の通水時に脈動が起こるのを防止できるので、ポンプ６で汲み上げた水を平ホース４の導出口３ｂからスムーズに導出させることができる。
【００２８】
なお、切欠き２ｂの上部開口２ｅからの深さは、この切欠き２ｂ内に平ホース４を収容して導水管３に通水した際に、筒状枠２をその厚み方向に貫通して設けられる導水管３（図１乃至図４では硬質管５）の流路に対する垂直断面における中心位置（以下、「中心位置Ａ」という。）の鉛直方向レベルと、切欠き２ｂ内に収容される平ホース４の流路に対する垂直断面における中心位置（以下、「中心位置Ｂ」という。）の鉛直方向レベルが一致するような深さであることが望ましい。ただし、中心位置Ａと中心位置Ｂとが厳密に一致していなくとも目的とする効果を十分発揮させることができる。このため、中心位置Ａと中心位置Ｂの鉛直方向レベルは、導水管３に通水した際に脈動が生じない程度の範囲内でズレを有していてもよい。
【００２９】
また、本実施形態に係る後付けポンプユニット１におけるポンプ６の種類を特定する必要は特にないが、例えば電動ポンプを使用することができる（任意選択構成要素）。この場合、本実施形態に係る後付けポンプユニット１は、図１乃至図４に示すように、ポンプ６に電力を供給するための電源コード７を備えることになる。
また、ポンプ６に直接電源コード７が接続される場合は、図１に示すように、導水管３に電源コード７を併設すればよい。
さらに、本実施形態に係る後付けポンプユニット１が電源コード７を備える場合は、導水管３と同様に電源コード７を、筒状枠２の厚み方向を貫通させて設けておくとよい。
このような後付けポンプユニット１では、電源コード７の一部を巻いて束ねた状態にして筒状枠２内に収容保管しておくことができる。
よって、本実施の形態に係る筒状枠２及び蓋８は、平ホース４や、電源コード７の不使用時の蓋付き保管箱として機能する。
【００３０】
なお、上述のように本実施形態に係る後付けポンプユニット１が電源コード７を備える場合、筒状枠２内に収容される平ホース４を直線状に展開して使用する際に、電源コード７も同様に直線状に伸ばした状態で使用することになる。
そして、筒状枠２の上部開口２ｅを跨ぐように電源コード７を配置した場合は、電源コード７と上部開口２ｅとの接触部分において電源コード７が曲がる可能性があるものの、電源コード７の場合は、多少の曲がっていても電力の供給状態に何ら不具合は生じない。このため、平ホース４の場合のように、筒状枠２の上部開口２ｅに電源コード７用の切欠きを設ける必要性は特にない。つまり、本実施形態に係る後付けポンプユニット１では、筒状枠２の上部開口２ｅに、切欠き２ｂとは別に、電源コード７用の切欠きを設けても良いし設けなくともよい。
さらに、上述のような電源コード７を備えるタイプの本実施の形態に係る後付けポンプユニット１では、筒状枠２の厚み方向に電源コード７を貫通させるための貫通孔２ｃの直径を、プラグ７ａの幅よりも大きく設定しておくことが望ましい。
この場合、ポンプ６を電源コード７と併せて、あるいは、電源コード７のみを交換する場合に、筒状枠２の厚み方向への電源コード７の挿脱を容易にできるというメリットを有している。
【００３１】
また、本実施形態に係る後付けポンプユニット１における蓋８は、強風等により容易に外れてしまわないよう、厚みを有する重量物（金属等）により構成してもよい（任意選択構成要素）。あるいは、蓋８を薄手の金属や、耐候性を有する合成樹脂等の軽量物により構成する場合は、強風等で飛ばされてしまわないよう、筒状枠２又は蓋８に図示しない固定具又は固定構造を設けておき、この固定具又は固定構造により蓋８を固定できるよう構成してもよい（任意選択構成要素）。
さらに、図１に示すように、蓋８の上面側に取手８ａを設けることで、蓋８を開閉する際の取扱いを容易にできるというメリットがある。
また、蓋８の裏面が平坦な場合は、蓋８が位置ズレを起こした場合に、筒状枠２と蓋８の間の隙間から雨水が浸入する懸念がある。このため、例えば図１に示すように、筒状枠２の上部開口２ｅに蓋８を覆設した際に、筒状枠２の内側面に沿う位置で、かつ鉛直下方側に突設される突条８ｂを備えていてもよい。あるいは、蓋８の周縁に沿って鉛直下方側に突設される突条を設けておき（図示せず）、この突条の内側に筒状枠２の上部開口２ｅを全て収容できるよう構成してもよい。
特に後者の場合は、蓋８の上面側から流れてきた雨水を、筒状枠２の中空部２ａ内に浸入し難くすることができるというメリットを有する。
【００３２】
さらに、本実施の形態に係る後付けポンプユニット１では、ポンプ６と筒状枠２の間に配設される導水管３の一部を屈曲させる必要がある場合がある。
より具体的には、例えば図１，２に示すように、本実施の形態に係る後付けポンプユニット１が取水用又は排水用の開口部（洞道１１）の近傍に設置される場合等である。この場合、後付けポンプユニット１の設置位置から水平方向に配置した導水管３をさらに、洞道１１の内壁１１ｂに沿って導水管３を鉛直下方側に垂下させる必要がある。この場合は、図１，２に示すように、洞道１１の縁部１１ａにおいて導水管３を屈曲させる必要がある。
このように導水管３の一部を屈曲させておく必要がある場合、その屈曲部３ｃを硬質管５により構成しておいてもよい（任意選択構成要素）。つまり、本実施の形態に係る後付けポンプユニット１では導水管３を、形状保持性を有しない平ホース４と、形状保持性を有する硬質管５との複合体としてもよい（任意選択構成要素）。
この場合、導水管３を設置した際の屈曲部３ｃに硬質管５を配することで、導水管３に通水した際に、屈曲部３ｃの流路が狭くなるのを防止できる。したがって、導水管３の屈曲部３ｃを硬質管５により構成する場合は、本実施の形態に係る後付けポンプユニット１を用いて給水や排水を行う際に、導水管３内を水が脈動するのを防止できる。よって、本実施の形態に係る後付けポンプユニット１によれば、水の供給又は排出をスムーズに行うことができる。
【００３３】
なお、本実施形態に係る後付けポンプユニット１では、ポンプ６と導水管３の連結部、導水管３の屈曲部３ｃ、および、導水管３が筒状枠２の厚み方向を貫通している部分、のそれぞれに硬質管５を用いるとともに、これらの硬質管５同士を平ホース４で連結している。また、本実施形態に係る後付けポンプユニット１において導水管３を、平ホース４及び硬質管５を組み合わせて構成する場合は、硬質管５の一部又は全部を保形ホースに置き換えても同様の効果が期待できる（任意選択構成要素）。
なお、本実施形態に係る後付けポンプユニット１では、ポンプ６と筒状枠２の間に配される導水管３を全て、硬質管５又は保形ホースにより構成してもよい（任意選択構成要素）。
【００３４】
さらに、本実施形態に係る後付けポンプユニット１の筒状枠２は、浸透排水性を有する地表面１３上に単に配置されているだけである。したがって、強風や軽い衝撃で筒状枠２が移動してしまわないよう、筒状枠２は厚手の金属板や、コンクリート又は鉄筋コンクリートの成型体を用いるとよい（任意選択構成要素）。あるいは、筒状枠２にアンカー（図示せず）を設けておき、このアンカーにより筒状枠２を地表面１３上に固定できるよう構成してもよい。
このような筒状枠２は、上部開口２ｅ及び下部開口２ｆを備えた筒体であるため、その使用時に万一上部開口２ｅから雨水が浸入しても、直ちに下部開口２ｆから地表面１３に浸透排水することができる。
上記構成を備えることで本実施の形態に係る後付けポンプユニット１は、その使用時に、筒状枠２内の収容物が意図せず水没するのを防止できる。
なお、本実施形態では、筒状枠２が角筒状である場合を例に挙げて説明しているが、筒状枠２の外形は角筒状である必要ななく、後付けポンプユニット１の設置場所の形状に合わせて所望の形状の筒体としてよい。
【００３５】
加えて、本実施形態に係る後付けポンプユニット１では、筒状枠２の底側、すなわち、筒状枠２の中空部２ａ内に裸出する地表面１３上に、バラス又はバラスと同等の作用効果を有する粒状物９を敷設しておいてもよい（任意選択構成要素）。
本実施形態に係る筒状枠２は、浸透排水性を有する地表面１３上に載置されるため、バラス状の粒状物９を有しなくとも筒状枠２の中空部２ａ内に水が溜まるおそれは極めて低いが、筒状枠２内に裸出する地表面１３上に粒状物９を敷設しておくことで、万一筒状枠２内に雨水が浸入した場合でも、粒状物９同士の空隙に雨水を速やかに流入させて、中空部２ａ内の収容物が水に浸かるのを確実に防ぐことができる。
この結果、本実施形態に係る後付けポンプユニット１の筒状枠２内に収容されている備品（例えば、平ホース４や電源コード７等）が雨水に触れるリスクを大幅に低減することができる。これにより、筒状枠２内に収容されている備品の耐用年数を長くすることができる。
なお、粒状物９は砕石が好ましいが、例えば廃棄コンクリートを粒状に破砕して所望の粒径に分級したものを用いることもできる。
【００３６】
また、本実施形態に係る後付けポンプユニット１は、既存のポンプ設備を有していない取水用又は排水用の開口部（洞道１１等）の近傍において、地表面１３上に載置するだけでその設置を完了することができるという利点を有している。
その一方で、本実施の形態に係る後付けポンプユニット１の筒状枠２を例えばコンクリート製にする場合や、蓋８を金属板で構成する場合でかつその表面に防錆用の塗装を施す場合、後付けポンプユニット１の外観が、洞道１１の縁部１１ａ（例えば、コンクリート等）と似通った色味になってしまう場合がある。この場合、本実施形態に係る後付けポンプユニット１の存在が視認され難くなる懸念がある。
この場合、洞道１１の縁部１１ａの近傍に本実施の形態に係る後付けポンプユニット１が設置されたことが周囲に認識されず、地表面１３上に載置されている筒状枠２等に衝突するなどの事故が起こる懸念がある。
このような事情に鑑み、本実施の形態に係る後付けポンプユニット１では、蓋８の上面にその視認を促すための着色部（図示せず）を備えていてもよい（任意選択構成要素）。なお、このような着色部の色としては、例えば赤色や黄色、あるいは、黄色と黒の縞模様等のように従来公知の人目を引きやすい色彩を選択することが望ましい。
このように本実施の形態に係る後付けポンプユニット１の蓋８がその上面側に、その視認を促すような着色部を備えている場合は、後付けポンプユニット１の視認性が向上して、後付けポンプユニット１との衝突等を好適に回避することができる。
【００３７】
さらに、本実施形態に係る後付けポンプユニット１では、蓋８の上面における着色部に加えて、ポンプ６と筒状枠２の間に配設される導水管３のうち、地上の裸出する部分にも同様の着色部を設けてもよい（任意選択構成要素）。
この場合、例えば、本実施形態に係る導水管３を、取水用の洞道１１の開口部に設けられるグレーチングや、カバー等を貫通して設ける場合に、このグレーチングや、カバー等を開閉する際に、導水管３の存在に気付かずにグレーチングや、カバー等を操作してしまい、誤って導水管３を破損してしまうのを回避することができる。
【００３８】
加えて、図１に示すように、本実施形態に係る後付けポンプユニット１では、ポンプ６と筒状枠２の間に配設されている導水管３を、洞道１１の内壁１１ｂに設けられている足場１２に直接又は間接的に固設してもよい（任意選択構成要素）。また、本実施形態に係る後付けポンプユニット１が電源コード７を備える場合は、ポンプ６と筒状枠２の間に配設されている導水管３及び電源コード７を、洞道１１の内壁１１ｂに設けられている足場１２に直接又は間接的に固設してもよい（任意選択構成要素）。
この場合、ポンプ６と筒状枠２の間に配設されている導水管３、又は、ポンプ６と筒状枠２の間に配設されている導水管３及び電源コード７、を取水用の洞道１１の内壁１１ｂに固定するにあたり、内壁１１ｂに固定具を取り付ける作業を省略することができる。
さらに、この場合は、洞道１１の内壁１１ｂに設けられる足場１２を利用してポンプ６や導水管３、並びに、電源コード７の点検や修理・交換作業を行うことができるというメリットもある。この場合は、本実施形態に係る後付けポンプユニット１を設置した後のメンテナンスを容易にできるという効果が発揮される。
【００３９】
上述のような本実施形態に係る後付けポンプユニット１によれば、既存のポンプ設備を有していない取水用又は排水用の開口部（洞道１１等）の近傍に容易に後付けすることができ、しかも、導水管３への通水時に脈動が起こらないポンプユニットを提供することができる。
また、このような後付けポンプユニット１の筒状枠２は、地表面１３上に載置するだけでよいので、その設置と撤去を極めて容易にできるという効果も有する。
加えて、本実施形態に係る後付けポンプユニット１は、その構成が極めてシンプルであるため、その設置に要するコストも安価にできるという効果を有する。
【００４０】
なお、本実施形態においては後付けポンプユニット１を用いて地下から水を汲み上げる場合を例に挙げて説明しているが、後付けポンプユニット１による汲み上げ対象は水以外の任意の液体でもよい。その場合は、本実施形態に係る後付けポンプユニット１を構成するポンプ６や導水管３の材質を、汲み上げ対象である液体に適した材質にする必要がある。
【産業上の利用可能性】
【００４１】
以上説明したように本発明は、取水用又は排水用の開口部への設置及び撤去が容易でかつ、導水管の通水時に脈動の発生を防止できる後付けポンプユニットであり、土木、建築、屋外設備、給排水設備および防災関連技術等に関する技術分野において利用可能である。
【符号の説明】
【００４２】
１…後付けポンプユニット  ２…筒状枠  ２ａ…中空部  ２ｂ…切欠き  ２ｃ…貫通孔  ２ｅ…上部開口  ２ｆ…下部開口  ３…導水管  ３ａ…取水口  ３ｂ…導出口  ３ｃ…屈曲部  ４…平ホース  ５…硬質管  ６…ポンプ  ７…電源コード  ７ａ…プラグ  ８…蓋  ８ａ…取手  ８ｂ…突条  ９…粒状物  １０…カバー  １１…洞道  １１ａ…縁部  １１ｂ…内壁  １２…足場  １３…地表面
【図１】
2020112099.tif 000003
【図２】
2020112099.tif 000004
【図３】
2020112099.tif 000005
【図４】
2020112099.tif 000006